(57)【特許請求の範囲】
【請求項１】
静止画像と動画像とを記録した記録媒体から所望の画像をプリントする映像プリントシステムにおいて、
撮影時に、上記記録媒体に上記静止画像と上記動画像とを区別可能に記録する画像記録手段と、
上記記録媒体に記録されている情報に基づいて、撮影された上記静止画像と、上記動画像の映像情報であるタイトル用画像と、を表示する表示手段と、
上記表示手段により表示される画像に対して、プリントする画像を選択するための操作手段と、
上記表示手段により表示される画像のうち、撮影された上記静止画像のみの全てを検索して自動的にプリントする静止画プリントモード設定手段と、
を有することを特徴とする映像プリントシステム。
【請求項２】
静止画像と動画像とを記録した記録媒体から所望の画像をプリントする映像プリントシステムにおいて、
上記記録媒体に上記静止画像と上記動画像とを区別可能に記録する画像記録手段と、
上記静止画像と上記動画像が混在して記録された上記記録媒体から、全画像のうち、上記静止画像のみの全てを自動的にプリントする静止画プリントモード設定手段と、
を有することを特徴とする映像プリントシステム。
【請求項３】
さらに、上記記録媒体に記録された全画像のうち、上記動画像の映像情報であるタイトル用画像のみを自動的にプリントする動画プリントモード設定手段を有することを特徴とする請求項２に記載の映像プリントシステム。
【請求項４】
上記表示手段は、さらに、上記記録媒体に記録された全画像のうち撮影されている上記静止画像の枚数を表示することを特徴とする請求項１に記載の映像プリントシステム。
【請求項５】
撮影された静止画像と動画像が区別可能に混在して記録された上記記録媒体から所望の画像をプリントする映像プリント装置において、
上記記録媒体に記録された全画像のうちから、撮影された上記静止画像のみの全てを検索して自動的にプリントするモードに操作設定する静止画プリントモード設定手段を有することを特徴とする映像プリント装置。
【発明の詳細な説明】
【０００１】
【発明の属する技術分野】
本発明は、映像プリントシステム、詳しくは動画および静止画を記録媒体に記録する映像記録手段と、記録媒体から必要な映像を選択してプリントするプリント手段とを有する映像プリントシステム、または上記プリント手段を有する映像プリント装置に関するものである。
【０００２】
【従来の技術】
従来より、動画および静止画の記録および再生を行なう映像記録再生装置、例えばビデオカメラ等によって記録された映像信号等を映像出力装置、例えばビデオプリンタ等に伝送することによって、この映像信号等からなる画像をプリントアウトするようにした映像プリントシステムについて、種々の提案がなされ、また一般的に実用化されている。
【０００３】
上記映像プリントシステムにおいて映像信号等からなる画像がプリントアウトされる場合には、まず、上記ビデオカメラ等からアナログ信号である映像信号等、即ち、動画の画像情報等は、例えばディスプレイ等の映像出力装置に出力されて、視覚的に確認（モニタ）することができるようになっていると共に、ビデオプリンタ等へも伝送（出力）されるようになっている。
【０００４】
上記ビデオプリンタ等へ伝送された映像情報等は、このビデオプリンタ内部に配設されているＡ／Ｄ変換回路においてアナログ信号からデジタル信号に変換され、操作者によって操作部材が操作されたときの所望の一画面が、この動画の画像情報を１つの静止画としてフィールドメモリに記憶されるようになっており、ここで記憶された静止画は、操作者によって操作部材が操作されることにより、上記ディスプレイ等に対して表示させることができるようになっている。これにより、操作者は動画の画像情報の静止画を任意に視認することができるようになっている。そして、上記フィールドメモリに記憶された画像情報は、上記ビデオプリンタ内部に配設されている印画部に供給されることにより、ここでプリントアウト処理が行なわれて、例えば紙、フィルム等の媒体にプリントアウトされることとなる。
【０００５】
上述したような従来の映像プリントシステム等において、記録動作を行なった後、動画および静止画等が混在して記録された情報記録媒体であるビデオテープ、映像記録ディスク等から、プリントを行なう所望の静止画像や動画の任意の１つのフレーム等を検索し決定する手段としては、例えば再生動作を行ないながら記録されたすべての画像情報等を検索する等の手段が考えられる。
【０００６】
しかしながら、このような手段によれば、実際に所望の画像のプリントアウトを行なうまでの準備操作に非常に時間がかかってしまうこととなり、操作者を時間的に拘束してしまうと共に、操作性においても問題点がある。
【０００７】
そこで、動画および静止画を混在して記録することができる映像記録装置において、これが記録されている情報記録媒体である、例えば磁気テープ、映像記録ディスク等の静止画データに対してインデックスデータ等を新たに付加し、画像情報の再生、編集等を行なう際に特定の静止画のみを指定して容易に検索することができるようにしたものについて、例えば特開平７−９８９６５号公報等において提案がなされている。
【０００８】
上記特開平７−９８９６５号公報に開示されているシステムは、情報記録媒体上の各トラックにおいてサブコードエリアを設け、このエリアに対して、映像記録装置によって静止画記録が行なわれる際に、静止画記録部分であることを示すＩＤ信号を自動的に記録するようになっていると共に、再生時において所望の静止画に対して操作者の操作を行なうことで、上記サブコードエリアにインデックス（ＩＮＤＥＸ）信号を後打ち込みすることができるようになっている。また、動画記録部分であっても、任意の１つのフレームに対してインデックス信号を後打ち込みすることができるようになっている。
【０００９】
そして、画像再生時においては、上記インデックス信号を高速サーチすることによって、所望の静止画記録部分や動画記録部分のうち任意の１つのフレーム等を検索することができるようにしたものである。
【００１０】
一方、動画および静止画を記録する情報記録媒体としては、従来より磁気テープ等が一般的に実用化されているが、近年においては、ランダムアクセス可能な映像記録ディスク等について、種々の提案がなされ、実用化されている。
【００１１】
【発明が解決しようとする課題】
ところが、上記特開平７−９８９６５号公報に開示されている手段によれば、動画および静止画が混在して記録された情報記録媒体上において、操作者によって後打ち込みされたインデックス信号が付加された静止画像や動画記録部分のうちの任意の１フレームについての検索動作をより高速に行なうことは可能となるが、静止画像のみをプリントアウトを行ないたい場合には、静止画像のみを検索するために、さらに複雑な操作を行なう必要がある。
【００１２】
本発明の目的は、映像記録媒体に記録された全画像の中で静止画のみの検索を容易に行うことができる共に、撮影された静止画または動画のタイトル用静止画のみを簡単な設定操作で自動的にプリントする映像プリントシステムまたは映像プリント装置を提供することにある。
【００１３】
【課題を解決するための手段】
本発明による映像プリントシステムは、静止画像と動画像とを記録した記録媒体から所望の画像をプリントする映像プリントシステムにおいて、撮影時に、上記記録媒体に上記静止画像と上記動画像とを区別可能に記録する画像記録手段と、上記記録媒体に記録されている情報に基づいて、撮影された上記静止画像と、上記動画像の映像情報であるタイトル用画像と、を表示する表示手段と、上記表示手段により表示される画像に対して、プリントする画像を選択するための操作手段と、上記表示手段により表示される画像のうち、撮影された上記静止画像のみの全てを検索して自動的にプリントする静止画プリントモード設定手段と、を有することを特徴とする。
【００１４】
また、本発明による映像プリントシステムは、静止画像と動画像とを記録した記録媒体から所望の画像をプリントする映像プリントシステムにおいて、上記記録媒体に上記静止画像と上記動画像とを区別可能に記録する画像記録手段と、上記静止画像と上記動画像が混在して記録された上記記録媒体から、全画像のうち、上記静止画像のみの全てを自動的にプリントする静止画プリントモード設定手段と、を有することを特徴とする。
【００１５】
さらに、上記記録媒体に記録された全画像のうち、上記動画像の映像情報であるタイトル用画像のみを自動的にプリントする動画プリントモード設定手段を有することを特徴とする。
【００１６】
また、上記表示手段は、さらに、上記記録媒体に記録された全画像のうち撮影されている上記静止画像の枚数を表示することを特徴とする。
【００１７】
また、本発明による映像プリント装置は、撮影された静止画像と動画像が区別可能に混在して記録された上記記録媒体から所望の画像をプリントする映像プリント装置において、上記記録媒体に記録された全画像のうちから、撮影された上記静止画像のみの全てを検索して自動的にプリントするモードに操作設定する静止画プリントモード設定手段を有することを特徴とする。
【００１８】
本発明では、画像記録手段により撮影時に、記録媒体に静止画像と動画像とを区別可能に記録し、表示手段で上記記録媒体に記録されている情報に基づいて、撮影された上記静止画像と、上記動画像の映像情報であるタイトル用画像と、を表示し、この表示手段により表示される画像に対して、操作手段でプリントする画像を選択し、静止画プリントモード設定手段によって上記表示手段により表示される画像のうち、撮影された上記静止画像のみの全てを検索して自動的にプリントする。
【００１９】
【発明の実施の形態】
以下、図示の実施の形態によって本発明を説明する。
図１は、本発明の一実施の形態の映像プリントシステムにおける映像記録部の概略構成を示すブロック構成図である。
【００２０】
図１に示すように、上記一実施の形態の映像プリントシステムにおける映像記録手段である映像記録部は、映像信号（画像信号）データを情報記録媒体であるランダムアクセス可能な映像記録ディスク（以下、単に記録ディスクという）に記録するためのデータに変換するコード化回路１と、静止画であることを示すインデックスデータを作成するデータ記録手段であるインデックス作成回路２と、上記記録ディスクに対し映像信号の記録および再生を制御するための記録再生制御回路３と、動画記録を開始するための信号を発生させる操作部材である動画撮影ＳＷ４と、静止画記録を開始するための信号を発生させる操作部材である静止画撮影ＳＷ５と、上記動画撮影ＳＷ４または静止画撮影ＳＷ５からの入力状態を判断し、この映像記録部全体を制御する判断回路６等によって構成されている。
【００２１】
このように構成された上記一実施の形態の映像プリントシステムにおける映像記録部において、映像信号（画像信号）データ等が記録ディスクに記録される際の動作を、以下に説明する。
【００２２】
まず、操作者の操作によって、上記動画撮影ＳＷ４もしくは上記静止画撮影ＳＷ５が操作される。ここで、上記動画撮影ＳＷ４が操作されて、動画記録を開始するための信号が発生し、これが上記判断回路６に入力された場合には、この判断回路６は上記コード化回路１に対して、入力された映像信号（画像信号）データを動画用データに変換するための制御信号を出力すると共に、上記インデックス作成回路２に対して、静止画であることを示すインデックスデータの作成を禁止する制御信号を出力し、また、上記記録再生制御回路３内の記録制御回路（図示せず）に対して、記録ディスクに映像情報（画像情報）を記録するための制御信号を出力する。
【００２３】
一方、上記静止画撮影ＳＷ５が操作されて、静止画記録を開始する信号が発生し、これが上記判断回路６に入力された場合には、この判断回路６は上記コード化回路１に対して、入力された映像信号（画像信号）データを静止画用データに変換するための制御信号を出力すると共に、上記インデックス作成回路２に対して、静止画であることを示すインデックスデータを作成するように制御信号を出力する。また、上記記録再生制御回路３内の記録制御回路（図示せず）に対して、記録ディスクに映像情報（画像情報）および静止画であることを示すインデックスデータを記録するための制御信号を出力する。
【００２４】
図２は、上記一実施の形態の映像プリントシステムに適用される情報記録媒体である記録ディスク上において、動画の映像情報等が記録される際の記録トラック内の状態を概念的に示す図である。なお、図２においては、上記記録ディスク上の記録トラック１１において、動画記録部分Ｒについて斜線で示し、また、未記録部分Ｂについては空白で示している。
【００２５】
上記動画撮影ＳＷ４に入力があった場合には、動画の記録動作（撮影）が行なわれることとなる。ここで、図２に示すように、記録トラック１１上において、前回の動画撮影部分Ａ２のあとに続けて、今回の動画の記録がなされることとなるが、このとき、今回撮影部分Ａ１の先頭部分、即ち、未記録部分Ｂにおいて、今回撮影する動画のタイトル用静止画およびこの動画のインデックスデータ等を記録するためのスペースａが確保されるようになっている。
【００２６】
そして、今回の動画撮影が行なわれる際には、その動作中の任意の設定されたタイミング、例えば撮影開始時等において、上記スペースａに対して自動的にタイトル用静止画およびインデックスデータ等の記録が行なわれるようになっている。ここで、上記インデックスデータとしては、静止画であることを示す情報のほかに、例えば日付、フラグ、動画タイトル、プリント枚数等の情報等が記録されるようにしても良い。
【００２７】
また、今回の動画の撮影動作が終了するまでの間に、操作者によって静止画撮影ＳＷ５が操作されることによって、この静止画撮影ＳＷ５からの入力があった場合には、今回撮影中の動画の映像情報のうち、その時点における１つのフレームがタイトル用静止画として上記スペースａに対し上書き記録、もしくは、追加記録がなされるようにしても良い。
【００２８】
なお、上記タイトル用静止画およびインデックスデータ等を記録するための上記スペースａについては、記録しようとする動画の映像記録部分の先頭部に未記録部分Ｂを確保するようにしているが、これに限らず、例えば、図３に示すように、記録ディスク１０上において、撮影中の動画の映像情報を記録するトラック（図３においてＭで示す部分）とは別のトラック（図３においてＳで示す部分）において、タイトル用静止画およびインデックスデータ等を記録するための専用トラックを確保するようにしてもよい。
【００２９】
また、図４に示すように、記録ディスク１０上において、動画の映像情報を記録する領域Ｍ（エリア；図４においてＭで示す部分）のある面と同面上において、別の領域Ｓ（エリア；図４において斜線（Ｓ）で示す部分）において、タイトル用静止画およびインデックスデータ等を記録するための専用領域を確保するようにしてもよい。
【００３０】
そして、図５に示すように、記録ディスク１０上において、動画の映像情報を記録する面（図５においてＭで示す側の面）とは別の面（図５においてＳで示す側の面）を、タイトル用静止画およびインデックスデータ等を記録するための専用面としてもよい。
【００３１】
また、上述の図３〜図５に示すように、タイトル用静止画およびインデックスデータ等を記録するため専用部分を確保する場合には、上記インデックスデータ等においては、そのタイトル用静止画が含まれる動画の映像情報の開始ポイントが、上記記録ディスク１０内のどのトラック（または領域、面）の、どの位置であるか等の位置情報を付加しておく必要がある。
【００３２】
一方、上記タイトル用静止画およびインデックスデータ等を記録するタイミングとしては、動画撮影開始時に記録を行なうようにしているが、これに限らず、動画撮影開始から動画撮影終了までの間の任意のタイミングにおいて記録が行なわれるようにすればよく、例えばタイトル用静止画の記録については動画撮影開始時に行なうと共に、インデックスデータ等の記録については動画撮影終了時に行なう等のように、タイトル用静止画の記録動作と、インデックスデータ等の記録動作とをそれぞれ異なるタイミングによって行なうようにしてもよい。
【００３３】
また、動画撮影が行なわれる際に、自動的にその記録動作がなされる動画のタイトル用静止画と、動画撮影中において操作者によって静止画撮影ＳＷ５からの入力がなされた場合に撮影されるタイトル用静止画のインデックスデータ等の内容は、それぞれ異なるものを記録するようにしてもよい。
【００３４】
次に、本発明の一実施の形態の映像プリントシステムにおけるプリント部の概略構成を、図６示すブロック構成図により以下に説明する。
【００３５】
図６に示すように、上記一実施の形態の映像プリントシステムにおける映像プリント手段であるプリント部は、上記記録ディスク１０に記録された動画および静止画等の映像情報およびインデックスデータ等を読み取る読取手段である読取装置７と、上記インデックスデータのうち画像の種類、即ち、動画タイトル用静止画か、または撮影された静止画か、を判別するインデックス判断手段であるインデックス判断回路８と、映像情報をプリントアウトするプリント装置９と、上記読取装置７および上記インデックス判断回路８に基づいて記録ディスク１０に記録された映像情報およびインデックスデータ等の記録内容を表示する、例えばディスプレイ、ＣＲＴモニタ等からなる表示手段である表示装置１２と、プリントする映像の選択および条件等を入力するするための操作部材等からなる操作手段である操作部１４と、この操作部１４の入力に基づいて、このプリント部全体を制御しプリント出力を制御する制御手段であるプリントシステムコントローラ１３等によって構成されている。
【００３６】
このように構成された上記一実施の形態の映像プリントシステムにおけるプリント部において、映像信号（画像信号）データ等が記録ディスク１０より読み込まれた後、映像情報がプリントされる際の動作を、以下に説明する。
【００３７】
まず、操作者が操作部１４によって映像情報の検索のための操作、即ち、プリントする映像の選択および条件等を入力すると、上記プリントシステムコントローラ１３は上記読取装置７を制御し、これによって上記記録ディスク１０に記録されている映像信号（画像信号）データおよびインデックスデータ等が読み取られる。
【００３８】
上記読取装置７によって読み取られた映像信号データおよびインデックスデータ等は、上記表示装置１２にその内容、例えば静止画の枚数等の情報が表示されると同時に、上記インデックスデータが上記インデックス判断回路８へと出力される。
【００３９】
上記インデックス判断回路８においては、例えば上記インデックスデータのうち画像の種類、即ち、読み込まれた映像信号データが、撮影された静止画であるか、自動的に記録された動画の映像情報のタイトル用静止画であるか、もしくは動画撮影中に操作者によって任意に記録された１フレームの静止画であるか等の判別が行なわれると共に、その判断結果が上記表示装置１２に表示される。従って、この表示装置１２に表示された内容を確認することで、この映像プリントシステムの操作者は、プリントを行なう所望の映像情報の映像信号データを容易に検索することができることとなる。
【００４０】
そして、所望の映像情報等が検索されると、次に、操作者は上記操作部１４によってプリントのための操作を行なう。このとき、上記操作部１４においては、例えばプリントの有無、枚数の指示設定等が可能となっている。
【００４１】
上記操作部１４からの入力を受けて上記プリントシステムコントローラ１３は上記プリント装置９を制御して、所望の映像情報を指定した枚数だけプリントすることとなる。この場合において、記録ディスクから読み込まれたインデックスデータは、インデックス判断回路８において、例えば動画としてのタイトル用静止画、または撮影した静止画のみを検索し、ここで検索されたインデックスデータの映像情報のみを読取装置７によって読み取り、これを自動的にプリント装置９に伝送することでプリントアウトがなされることとなる。
【００４２】
図７は、情報記録媒体である映像記録ディスク上において映像情報およびインデックスデータ等が記録される際の記録トラック内の状態を概念的に示す図である。なお、図７においては、記録ディスク１０の記録トラック１１上において、操作者により撮影された静止画をＳ１，Ｓ２，Ｓ３，Ｓ４によって示し、また、動画の映像情報（図７において斜線で示す部分）のうちのタイトル用静止画をＭ１，Ｍ２，Ｍ３によって示している。
【００４３】
ここで、撮影された静止画および動画のタイトル用静止画の映像情報は、それぞれインデックスデータによって、その画像の種類を区別して記録されているので、プリントアウトされる形態としては以下のようになる。
【００４４】
即ち、上記プリント部が操作部１４によって撮影された静止画のみをプリントする静止画プリントモードに設定された場合には、図７における静止画Ｓ１，Ｓ２，Ｓ３，Ｓ４のみが選択的に自動プリントアウトされることとなる。
【００４５】
また、上記プリント部が操作部１４によって動画のタイトル用静止画のみをプリントする動画プリントモードに設定された場合には、図７における動画のタイトル用静止画Ｍ１，Ｍ２，Ｍ３のみが選択的に自動プリントアウトされることとなる。
【００４６】
以上説明したように上記一実施の形態によれば、映像情報の撮影時において、静止画であることを示す情報をインデックスデータとして自動的に記録するようにしたので、このインデックスデータを後打ち込みする手間を省くと共に、再生、プリント時における画像情報の検索を容易かつ高速に行なうことができる。
【００４７】
また、上記インデックスデータにおいて、画像の種類、即ち、動画のタイトル用静止画であるか、撮影された静止画であるかの区別をするよう記録されているので、動画のタイトル用静止画または撮影された静止画のみを自動的に効率よくプリントアウトすることができる。
【００４８】
そして、記録ディスクより伝送されたインデックスデータを検索することで、記録ディスク内に記録された映像情報の内容、即ち、静止画の枚数等の検索されたデータを表示装置１２に表示するようにしたので、容易にかつ高速に記録ディスク内の内容確認を行なうことができる。
【００４９】
［付記］
（１）  静止画であることのインデックスを記録時に付加したランダムアクセス可能な映像記録ディスクから伝送された映像信号データにより印画する映像プリントシステムにおいて、
プリント出力時にインデックスを検索することで静止画映像をプリントする映像プリントシステム。
【００５０】
（２）  動画および静止画を記録する映像記録手段と、上記静止画にインデックスとなるデータを記録するデータ記録手段とを有し、ランダムアクセス可能な映像記録ディスクから伝送された映像信号データにより印画する映像プリントシステムにおいて、
上記記録されたインデックスデータと動画および静止画を読み取る読取手段と、
記録された画像の種類を判別するインデックス判断手段と、
上記読取手段および上記インデックス判断手段に基づき上記映像記録ディスクの記録内容を表示する表示手段と、
を具備する映像プリントシステム。
【００５１】
（３）  動画および静止画を記録する映像記録手段と、上記静止画にインデックスとなるデータを記録するデータ記録手段とを有し、ランダムアクセス可能な映像記録ディスクから伝送された映像信号データにより印画する映像プリントシステムにおいて、
上記記録されたインデックスデータと動画および静止画を読み取る読取手段と、
画像の種類すなわち動画タイトル用静止画または撮影された静止画かを判別するインデックス判断手段と、
上記読取手段および上記インデックス判断手段に基づき上記映像記録ディスクの記録内容を表示する表示手段と、
プリントする映像の選択および条件を入力する操作手段と、
上記操作手段の入力に基づきプリント出力を制御する制御手段と、
を具備する映像プリントシステム。
【００５２】
（４）  付記３に記載の映像プリントシステムにおいて、
上記操作手段は、プリントの有無、枚数の指示設定が可能である映像プリントシステム。
【００５３】
（５）  動画および静止画を記録する映像記録手段と、上記静止画にインデックスとなるデータを記録するデータ記録手段とを有し、ランダムアクセス可能な映像記録ディスクから伝送された映像信号データにより印画する映像プリントシステムにおいて、
上記記録されたインデックスデータと動画および静止画を読み取る読取手段と、
画像の種類すなわち動画タイトル用静止画または撮影された静止画かを判別するインデックス判断手段と、
上記読取手段および上記インデックス判断手段に基づき上記映像記録ディスクの記録内容のうち所望のものを表示する表示手段と、
を具備する映像プリントシステム。
【００５４】
【発明の効果】
以上述べたように本発明によれば、映像記録媒体に記録された全画像の中で静止画のみの検索を容易に行うことができる共に、撮影された静止画または動画のタイトル用静止画のみを簡単な設定操作で自動的にプリントする映像プリントシステムまたは映像プリント装置を提供することができる。
【図面の簡単な説明】
【図１】本発明の一実施の形態の映像プリントシステムにおける映像記録部の概略構成を示すブロック構成図。
【図２】上記図１の映像プリントシステムに適用される情報記録媒体上において動画の映像情報等が記録される際の記録トラック内の状態を概念的に示す図。
【図３】上記図１の映像プリントシステムに適用される情報記録媒体上においてタイトル用静止画およびインデックスデータ等が記録されるトラックを示す図。
【図４】上記図１の映像プリントシステムに適用される情報記録媒体上においてタイトル用静止画およびインデックスデータ等が記録される領域を示す図。
【図５】上記図１の映像プリントシステムに適用される情報記録媒体上においてタイトル用静止画およびインデックスデータ等が記録される面を示す図。
【図６】上記図１の映像プリントシステムにおけるプリント部の概略構成を示すブロック構成図。
【図７】上記図１の映像プリントシステムに適用される情報記録媒体上において映像情報およびインデックスデータ等が記録される際の記録トラック内の状態を概念的に示す図。
【符号の説明】
１……コード化回路
２……インデックス作成回路（データ記録手段）
３……記録再生制御回路
４……動画撮影ＳＷ（操作部材）
５……静止画撮影ＳＷ（操作部材）
６……判断回路
７……読取装置（読取手段）
８……インデックス判断回路（インデックス判断手段）
９……プリント装置
１０……映像記録ディスク（情報記録媒体）
１１……記録トラック
１２……表示装置（表示手段）
１３……プリントシステムコントローラ（制御手段）
１４……操作部（操作手段、操作部材）
【図１】
0003709225.tif 000002
【図２】
0003709225.tif 000003
【図３】
0003709225.tif 000004
【図４】
0003709225.tif 000005
【図５】
0003709225.tif 000006
【図６】
0003709225.tif 000007
【図７】
0003709225.tif 000008